(57)【要約】【課題】バランスを保ちやすく、容易にバッテリーを運搬することができる、バッテリー運搬器具を提供する。【解決手段】バッテリー運搬器具１は、把手２と、把手２とバッテリーの＋側及び−側の端子との間に架設され、バッテリーを釣支する第一及び第二の腕部３及び４と、を備え、第一及び第二の腕部３，４は、その先端に＋極及び−極の端子を嵌合する第一及び第二の孔３１，４１を有する。また、把手２とバッテリーとの間に弾装され、孔３１，４１に端子が嵌合した状態でバッテリーに対し付勢する弾性部材７を備える。【選択図】図１
2008260395.tif 000002
【特許請求の範囲】
【請求項１】
把手と、該把手とバッテリーの＋極及び−極の端子との間に架設され、該バッテリーを釣支する第一及び第二の腕部と、を備え、上記第一及び第二の腕部は、その先端に上記＋極及び−極の端子に嵌合する第一及び第二の孔を有することを特徴とする、バッテリー運搬器具。
【請求項２】
前記把手とバッテリーとの間に弾装され、前記孔に前記端子が嵌合した状態で前記バッテリーに対して付勢する弾性部材を備えたことを特徴とする、請求項１に記載のバッテリー運搬器具。
【請求項３】
前記把手を介して前記第一及び第二の腕部と対称の位置に配設された第三及び第四の腕部を備え、上記第三及び第四の腕部は、その先端に前記第一及び第二の孔と径の異なる第三及び第四の孔を有することを特徴とする、請求項１又は２に記載のバッテリー運搬器具。
【請求項４】
前記孔はそれぞれ、前記端子に接する部分に摩擦部を有することを特徴とする、請求項１から３のいずれかに記載のバッテリー運搬器具。
【請求項５】
前記腕部はそれぞれ、前記把手に支持される上腕部と、前記孔を含み該上腕部に脱着可能に拘持される下腕部と、から成ることを特徴とする、請求項１から４のいずれかに記載のバッテリー運搬器具。
【請求項６】
前記腕部はそれぞれ、前記把手に螺子を介して揺動調節可能に軸支されたことを特徴とする、請求項１から５のいずれかに記載のバッテリー運搬器具。
【発明の詳細な説明】
【技術分野】
【０００１】
本発明は、自動車のバッテリーを運搬するための器具に関する。
【背景技術】
【０００２】
従来、自動車のバッテリー交換の際は、エンジンルーム内においてバッテリーに接続された配線を外したあと、バッテリーを手で持って引き出し、運搬していた。しかし、バッテリーは相当な重量を有することに加え、エンジンルーム内は高温となる場合もあり、さらにバッテリー周辺の隙間は通常狭くなっているので、素手による運搬には火傷や怪我を防ぐため細心の注意を要する。
【０００３】
そこで、例えば図６（ａ）に示すように、バッテリーを挟持して運搬する器具が知られている。このバッテリー運搬器具１００は、向かい合う二つの挟持部１１０及び１１１と、これらを互いに近づける方向に付勢するバネ１２０と、グリップ１３０とを有する。挟持部１１０及び１１１の先端にはゴムパッド１１０ａ及び１１１ａが備えられる。
【０００４】
バッテリー運搬器具１００を使用してバッテリーＢを運搬するには、図６（ｃ）に示すように、グリップ１３０を握り、バネ１２０に設けられたコイル部１２１に指を掛け、バネ１２０の付勢に抗ってコイル部１２１をグリップ１３０方向へ引き寄せることで挟持部１１０及び１１１の間隔を矢印Ｐ１及びＰ２方向に開き、この状態で挟持部１１０及び１１１間にバッテリーＢを配置し、コイル部１２１から指を離す。すると、バネ１２０の付勢によりゴムパッド１１０ａ及び１１１ａがバッテリーＢを挟持するため、グリップ１３０を握ってバッテリーＢを持ち上げることができる。
【０００５】
挟持部１１０及び１１１には、用途により、図６（ｂ）に示すようにそれぞれ二つの鋭利な突起１１０ｂ及び１１１ｂを設けることもできる。廃棄するバッテリーには突起１１０ｂ及び１１１ｂを使用することで確実にバッテリーを挟持し、新品のバッテリーにはゴムパッド１１０ａ及び１１１ａを使用することで傷をつけずに運ぶことができる。
【発明の開示】
【発明が解決しようとする課題】
【０００６】
しかしながら、上記バッテリー運搬器具１００は、バッテリーＢの重心を正確に挟持しないとバランスを崩してしまい、運搬が困難であるばかりか、バッテリーを落としてしまう可能性がある。また、通常はバッテリーＢの幅方向に挟持部１１０及び１１１を配置して挟持するため、バッテリーがユーザーの体側面方向に長い状態となり、歩行時に足に接触しやすい。
【０００７】
本発明は、上記問題点に鑑み、バランスを保ちやすく、容易にバッテリーを運搬することができる、バッテリー運搬器具を提供することを目的とする。
【課題を解決するための手段】
【０００８】
上記目的を達成するため、本発明のバッテリー運搬器具は、把手と、この把手とバッテリーの＋側及び−側の端子との間に架設され、バッテリーを釣支する第一及び第二の腕部と、を備え、第一及び第二の腕部は、その先端に＋極及び−極の端子を嵌合する第一及び第二の孔を有することを特徴とする。
【０００９】
上記バッテリー運搬器具は、把手とバッテリーとの間に弾装され、孔に端子が嵌合した状態でバッテリーに対し付勢する弾性部材を備えることが望ましい。
さらに、把手を介して第一及び第二の腕部と対称の位置に配設された第三及び第四の腕部を備え、第三及び第四の腕部は、その先端に前記第一及び第二の孔と径の異なる第三及び第四の孔を有することが望ましい。
孔はそれぞれ、端子に接する部分に摩擦部を有することが望ましい。
腕部はそれぞれ、把手に支持される上腕部と孔を含み上腕部に脱着可能に拘持される下腕部と、から成ってもよい。また、把手に螺子を介して揺動調節可能に軸支されてもよい。
【発明の効果】
【００１０】
本発明によれば、把手を持ち上げることにより第一及び第二の孔に＋極及び−極の端子が嵌合し、第一及び第二の腕部によってバッテリーを釣支することができる。弾性部材がバッテリーに対し付勢することにより、第一及び第二の孔に＋極及び−極の端子が嵌合するために必要な摩擦力を生ずることができる。第三及び第四の孔を備えることにより、二種類の規格のバッテリーに対応することができる。孔のうち端子に接する部分に摩擦部を設けることにより、より確実にバッテリーを保持することができる。
腕部が把手に支持される上腕部と、孔を含み上腕部に脱着可能な下腕部とから成ることにより、＋極及び−極の端子サイズに併せて下腕部を交換することができ、また螺子を介して揺動調節可能に軸支されることにより、＋極及び−極間の間隔に合わせて下腕部の孔の間隔を調節可能であるから、多種の規格のバッテリーに対応することができる。
【発明を実施するための最良の形態】
【００１１】
以下、図面に基づいて本発明のバッテリー運搬器具の実施形態につき詳細に説明する。図１は、本発明の第一実施形態に係るバッテリー運搬器具１を示し、（ａ）はその斜視図、（ｂ）は分解した状態を示す斜視図である。
【００１２】
バッテリー運搬器具１は、把手２と、第一及び第二の腕部３及び４と、第三及び第四の腕部５及び６と、弾性部材としてのスプリング部７と、を有する。第一乃至第四の腕部は、その先端に第一乃至第四の孔３１，４１，５１及び６１を有する。
【００１３】
把手２は棒状の部材であり、片手で把持するのに適度な長さである。この把手２の長さ方向の中央部にはボルト穴２ａが穿設され、このボルト穴２ａから垂下するように、棒状の間装部材２１が突設される。間装部材２１は、両端に螺子切２１ａ，２１ｂが施された把手２より細い棒状部材であって、上端の螺子切２１ａをボルト穴２ａに螺着し、さらにナット２３を螺合することにより把手２に固着される。
【００１４】
間装部材２１の下端には、水平部材２４が横設される。水平部材２４は板状の部材であって、その長さ方向の中央部にはボルト孔２４ａが穿設される。このボルト孔２４ａに間装部材２１の下端の螺子切２１ｂが螺着し、さらにナット２５を螺合することにより水平部材２４が間装部材２１に固着される。また、水平部材２４の両端には孔２４ｂ，２４ｃが穿設される。
【００１５】
水平部材２４の下側にはスプリング部７が配設される。スプリング部７は、スプリングガイド部材７１と、スプリングセット部材７２と、スプリング７３と、摺動部材７４とから構成されている。
【００１６】
スプリングガイド部材７１は棒状部材であり、その上端に螺子切７１ａを備え、この螺子切７１ａをボルト孔２４ａの下側から螺着することにより水平部材２４に固着される。スプリングセット部材７２はゴムなどの弾性樹脂素材より成るリング状の部材であり、その内径はスプリングガイド部材７１の外径とほぼ等しく、その外径はスプリング７３の内径とほぼ等しい。スプリングセット部材７２はスプリングガイド部材７１における水平部材２４との接続部付近に挿嵌される。スプリング７３は圧縮コイルばねであり、スプリングガイド部材７１に巻装され、その上端をスプリングセット部材７２に挿嵌されることでスプリングガイド部材７１に間接的に取り付けられる。摺動部材７４はゴムなどの弾性樹脂素材より成る筒状の部材であり、その下端には鍔状の返し部７４ａを備える。筒状部７４ｂはその内径がスプリングガイド部材７１の外径より少し大きく、そのためスプリングガイド部材７１を挿脱するように摺動可能である。また、その外径はスプリング７３の内径とほぼ等しく、スプリング７３を巻装し、その下端を返し部７４ａに当接させて取り付ける。以上のように摺動部材７４はスプリングガイド部材７１にスプリング７３を介して取り付けられ、スプリングガイド部材７１に沿って上下に摺動可能であると同時にスプリング７３により下方に付勢される。
【００１７】
第一の腕部３と第四の腕部６とは互いの付け根部分において連結され、もしくは一体成型され、平面視において「く」字状を成している。第一の腕部３及び第四の腕部６の付け根部分である折れ部３６には、ボルト穴３６ａが穿設される。
【００１８】
水平部材２４と第一の腕部３及び第四の腕部６とは、ボルト１５ａにより締着される。より詳細には、水平部材２４の一端の孔２４ｂにカラー１７ａが挿着され、これにボルト１５ａが上部ワッシャー１６ａを介して挿入される。さらにボルト１５ａは下部ワッシャー１８ａを介して前述のボルト穴３６ａに螺着される。なお、上部ワッシャー１６ａ、カラー１７ａ及び下部ワッシャー１８ａはそれぞれ絶縁素材より成り、＋端子と−端子との間の短絡を防ぐ。
【００１９】
第二の腕部４と第三の腕部５とは第一の腕部３及び第四の腕部６と同様、互いの付け根部分において連結されもしくは一体成型され、「く」字状を成しており、その折れ部４５にはボルト穴４５ａが穿設される。
【００２０】
水平部材２４と第二の腕部４及び第三の腕部５とは、ボルト１５ｂにより、上部ワッシャー１６ｂ，カラー１７ｂ及び下部ワッシャー１８ｂを介して締着される。その構成は第一の腕部３及び第四の腕部６の取付けと同様であるから説明を省略する。
【００２１】
第一乃至第四の腕部の先端には前述のように第一乃至第四の孔３１，４１，５１乃至６１が設けられている。これらは、バッテリーの＋端子もしくは−端子に嵌合するよう配設される。詳細には、第一の腕部３に設けられた第一の孔３１と第二の腕部４に設けられた第二の孔４１とは、それぞれ第一の規格のバッテリーの＋端子と−端子とに嵌合するよう、それらの端子の外径より少し大きい内径を有し、また第一の孔３１の中心線３１ａと第二の孔４１の中心線４１ａとの間隔は当該バッテリーの＋端子の中心と−端子の中心との間隔に等しい。そのため、第一の孔３１と第二の孔４１とは、それぞれ当該バッテリーの＋端子と−端子とに嵌合することができる。
【００２２】
一方、第三の腕部５に設けられた第三の孔５１と第四の腕部６に設けられた第四の孔６１とは、第二の規格のバッテリーの＋端子と−端子とに嵌合するよう、それらの端子の外径より少し大きい内径を有し、また対応する間隔を持って配設される。すなわち、第一の孔３１と第二の孔４１とに加えて第三の孔５１と第四の孔６１とを備えることで、二つの異なった規格のバッテリーに対応することができる。
【００２３】
第一の孔３１の中心線３１ａと第二の孔４１の中心線４１ａとは間装部材２１の中心線２１ｃと平行であり、第三の孔５１と第四の孔６１とについても同様である。すなわち、第一乃至第四の孔３１，４１，５１及び６１はそれぞれ間装部材２１の中心線２１ｃと平行な方向に穿設される。また、第一の腕部３及び第四の腕部６と第二の腕部４及び第三の腕部５とは、先述のようにそれぞれ「く」字状を成し、その折れ部３６及び４５を介して水平部材２４に接続され、水平部材２４を挟んでほぼ対称に位置している。つまり、間装部材２１の中心線２１ｃは第一及び第二の孔の中心線３１ａ及び４１ａを通る面から離れて平行に存在する。
【００２４】
このようなバッテリー運搬器具１を使用してバッテリーを運搬する方法について説明する。図２は、バッテリー運搬器具１の第一及び第二の腕部３及び４を使用して第一の規格のバッテリーを持ち上げる手順を示す図であり、（ａ）はバッテリー運搬器具１をバッテリーに設置する前、（ｂ）は設置した状態、（ｃ）はバッテリーを引き上げた状態、（ｄ）はバッテリーから外した状態を示す。
【００２５】
まず、図２（ａ）に矢印Ａ１及びＡ２で示すように、バッテリーＢの＋端子Ｂ１及び−端子Ｂ２に第一の孔３１及び第二の孔４１が嵌まるようにバッテリー運搬器具１を配置する。
【００２６】
次に、図２（ｂ）に示すように、把手２を押し下げることによりバッテリー運搬器具１をバッテリーＢに押し当てる。すると、スプリング部７がバッテリーＢの上面に当接して収縮する。詳細には、バッテリー運搬器具１をバッテリーＢに押し当てることにより、摺動部材７４の下端がバッテリーＢの上面に当接し、バッテリー運搬器具１をさらに強く押し当てると、摺動部材７４はスプリング７３の付勢に抗ってスプリングガイド部材７１に沿って把手２方向へ摺動する。そして、第一及び第二の孔３１，４１内にバッテリーＢの＋端子Ｂ１及び−端子Ｂ２が入る。
【００２７】
この状態で、図３（ａ）に示すように把手２を押し下げる力を弱めると同時にバッテリー運搬器具１を＋端子Ｂ１及び−端子Ｂ２側、すなわち図において左側に傾ける。すると、間装部材２１の中心線２１ｃが図において左側に傾き、これに伴って第一及び第二の孔の中心線３１ａ及び４１ａがバッテリーＢの＋端子Ｂ１及び−端子Ｂ２に対して傾く。そのため、図３（ｂ）に第一の孔３１及び＋端子Ｂ１を拡大断面して示すように、第一の孔３１を形成する壁のうち、バッテリー外側下の部分３１ｂとバッテリー内側上の部分３１ｃとが＋端子Ｂ１に接触し、摩擦が生じる。
【００２８】
ここで、スプリング部７はその弾性により復元しようとする。すなわち、その長さ方向に伸長しようとして摺動部材７４の下端がバッテリーＢの上面に圧接し、その反作用で水平部材２４を上方向へ押し上げる。すると、上述のバッテリー外側下の部分３１ｂとバッテリー内側上の部分３１ｃとを支点かつ作用点とした梃子の原理が働き、当該部分の圧接がさらに強まり、摩擦力が増す。以上の作用は、第二の孔４１及び−端子Ｂ２についても同様である。
【００２９】
そこで、図２（ｃ）に示すように、この状態で把手２を掴んでバッテリー運搬器具１を持ち上げることで、バッテリーＢを持ち上げることができる。この際、バッテリーＢの自重により、上述の梃子の作用がさらに強まり、第一及び第二の孔３１，４１はバッテリーＢの＋端子Ｂ１及び−端子Ｂ２を強力に拘持する。
【００３０】
以上のようにバッテリーＢを引き上げ、運搬した後、バッテリーからバッテリー運搬器具１を外すには、バッテリーＢをしかるべき場所に置き、図３（ａ）に一点鎖線で示すように、バッテリー運搬器具１を、間装部材２１の中心線２１ｃがバッテリーＢの上面に対し垂直になるようにすることにより第一及び第二の孔３１及び４１と＋端子Ｂ１及び−端子Ｂ２との圧接関係が解除されるから、図２（ｄ）に示すようにバッテリー運搬器具１を持ち上げることにより、バッテリーＢから簡単に取り外すことができる。
【００３１】
以上、第一の実施形態のバッテリー運搬器具１を使用して、第一の規格のバッテリーＢを運搬する方法につき説明したが、第二の規格のバッテリーを運搬する場合には、第三及び第四の腕部５及び６を使用する。すなわち、前述のように、第三及び第四の孔５１及び６１は、その径及び間隔が第二の規格のバッテリーに対応するよう成型されているため、これを使用して第二の規格のバッテリーを運搬することができる。その使用方法は第一及び第二の孔３１及び４１の代わりに第三及び第四の孔５１及び６１をバッテリーの＋端子及び−端子に嵌合する点を除いて上述の通りであるから省略する。以上のように、バッテリー運搬器具１によれば、二種類の規格のバッテリーを部品交換等をすることなく容易かつ安全に運搬することができる。
【００３２】
なお、スプリング部７を備えず、その他においてバッテリー運搬器具１と同様の構成を備えた第二の実施形態に係るバッテリー運搬器具（図示省略）であっても、バッテリーの自重を利用することによって同様にバッテリーを持ち上げることができるが、スプリング部７を備えるバッテリー運搬器具１は前述のように持ち上げる前の段階において第一及び第二の孔３１，４１とバッテリーＢの＋端子Ｂ１及び−端子Ｂ２との間に強い摩擦が生じる点で有利である。
【００３３】
図４（ａ），（ｂ）は、第一乃至第四の孔の形状のみがバッテリー運搬器具１と異なる第三の実施形態に係るバッテリー運搬器具の孔Ｈの形状を示し、図４（ａ）はその平面図、（ｂ）は底面図である。このようなバッテリー運搬器具では、第一乃至第四の孔Ｈを形成する壁のうち、バッテリー外側下の部分とバッテリー内側上の部分とに、摩擦力を増すための数本のスリットである摩擦部Ｈ１とＨ２とを備える。第三の実施形態に係るバッテリー運搬器具は、その他の点について第一の実施形態に係るバッテリー運搬器具と同様である。このような第三の実施形態に係るバッテリー運搬器具を使用すれば、さらに強い摩擦が生じ、安全性が高まる。
【００３４】
図５は、第四の実施形態に係るバッテリー運搬器具１２を示す。バッテリー運搬器具１２を第一の実施形態に係るバッテリー運搬器具１と比較すると、ボルト１５ａ，１５ｂの代わりにフランジ１９ｃ及び１９ｄを備えた蝶螺子１９ａ，１９ｂを使用し、また第一及び第二の腕部３，４の代わりにそれぞれ上腕部と下腕部とからなる第一及び第二の腕部８，９を有し、第三及び第四の腕部を有しない点において相違する。以下詳細に説明するが、第一の実施形態に係るバッテリー運搬器具１と同様の部分については同一の符号を付して説明を省略する。
【００３５】
第一の腕部８は上腕部８２と下腕部８３とからなり、これらは図５（ｂ）に示すように、上腕部８２に下腕部８３を挿脱することにより着脱可能に構成されている。詳細には、上腕部８２は一端が開口した角筒状を成し、付け根側である他端にボルト穴８５ａを備え、このボルト穴８５ａに蝶螺子１９ａが螺着することにより水平部材２４と連結される。一方、下腕部８３は上腕部８３の開口内にその一端を継合可能な角柱状の部材であり、他端には第一の孔８１を備える。この孔８１はバッテリー運搬器具１の第一の孔３１同様、バッテリーの＋端子に嵌合可能に構成される。
【００３６】
上腕部８２は、その側面に小さな孔８２ａを有する。一方、下腕部８３は、その側面における、下腕部８３を上腕部８２に継合した状態で孔８２ａに対応する位置にピン８３ａを有する。ピン８３は下腕部８３の側面に穿設された孔からその先端が突出した突起状の部材であり、下腕部８３の内部に配設された弾性部材（図示省略）により、下腕部８３の外側に付勢されている。このピン８３を弾性部材の付勢に抗して下腕部８３内に押し込んだ状態で下腕部８３を上腕部８２内に摺動させ、ピン８３が上腕部８２の孔８２ａに重なると、ピン８３はその内部の弾性部材の付勢により下腕部８３から突出し、孔８２ａに嵌合する。これにより、下腕部８３が上腕部８２と継合する。
一方、下腕部８３を上腕部８２から外すには前述の挿入時と逆の操作を行う。すなわち、ピン８３を弾性部材の付勢に抗って押し込み、下腕部８３を上腕部８２から引き抜く。
【００３７】
以上の作用により、下腕部８３を上腕部８２に対して脱着することができる。そのため、バッテリーの規格に応じ、適した孔を有する下腕部に取り替えることができる。
【００３８】
第二の腕部９は上腕部９２及び下腕部９３からなり、上腕部９２はボルト穴９５ａと小さな孔９２ａとを有する。また、下腕部９３は第二の孔９１とピン９３とを有する。第二の腕部９の上腕部９２及び下腕部９３は第一の腕部８の上腕部８２及び下腕部８３と同様の構成を有するから、説明を省略する。
【００３９】
第一及び第二の腕部８及び９は、その付け根部分８５及び９５に設けられたボルト穴８５ａ及び９５ａに蝶螺子１９ａ及び１９ｂを螺着することにより水平部材２４に連結されるが、蝶螺子１９ａ及び１９ｂはフランジ１９ｃ及び１９ｄを備え、これを手で回転させることにより締緩調節可能であるから、蝶螺子１９ａ及び１９ｂを緩む方向へ回転させ、第一及び第二の腕部８及び９を、第一及び第二の孔８１，８２がバッテリーの＋端子及び−端子に対応するよう配置し、締める方向へ回転させることで調節することができる。
【００４０】
上記第四の実施形態に係るバッテリー運搬器具１２によれば、第一の実施形態に係るバッテリー運搬器具１と同様の作用によりバッテリーを運搬することができる。さらに、バッテリーの規格に応じて下腕部８３を交換すると共に、蝶螺子１９ａ及び１９ｂを使用して第一及び第二の孔８１及び９１の間隔を調節することができる。すなわち、バッテリーの規格によって下腕部８３を交換し、第一及び第二の孔８１及び９１の間隔を調節することで、実質的に全ての規格のバッテリーに対応することができる。
【００４１】
以上、本発明のバッテリー運搬器具の実施形態につき説明したが、これらは本発明を具現化する例であり、本発明は、その趣旨を逸脱しない範囲において様々な形態で実施をすることができる。
【図面の簡単な説明】
【００４２】
【図１】本発明の第一実施形態に係るバッテリー運搬器具を示し、（ａ）はその斜視図、（ｂ）は分解斜視図である。
【図２】図１のバッテリー運搬器具を使用して第一の規格のバッテリーを持ち上げる手順を示し、（ａ）はバッテリー運搬器具をバッテリーに設置する前、（ｂ）は設置した状態、（ｃ）はバッテリーを引き上げた状態、（ｄ）はバッテリーから外した状態を示す。
【図３】図１のバッテリー運搬器具を使用して第一の規格のバッテリーを持ち上げる状態を示し、（ａ）は側面図、（ｂ）は（ａ）のＣ−Ｃ断面拡大図である。
【図４】本発明の第三の実施形態に係るバッテリー運搬器具の孔の形状を示し、（ａ）はその平面図、（ｂ）は底面図である。
【図５】本発明の第四の実施形態に係るバッテリー運搬器具を示し、（ａ）はその斜視図、（ｂ）は腕部の分解斜視図である。
【図６】従来例のバッテリー運搬器具を示し、（ａ）はその斜視図、（ｂ）は第二の使用態様を示す一部斜視図、（ｃ）はその使用方法を示す側面図である。
【符号の説明】
【００４３】
１，１２  バッテリー運搬器具
２  把手
２ａ，８５ａ  ボルト穴
３〜６，８  腕部
７  スプリング部
１５ａ，１５ｂ  ボルト
１６ａ，１６ｂ  上部ワッシャー
１７ａ，１７ｂ  カラー
１８ａ，１８ｂ  下部ワッシャー
１９ａ，１９ｂ  蝶螺子
１９ｃ，１９ｄ  フランジ
２１  間装部材
２１ａ，２１ｂ，７１ａ  螺子切
２３,  ２５  ナット
２４  水平部材
２４ａ，３６ａ，４５ａ  ボルト孔
２４ｂ，２４ｃ  孔
３１，４１，５１，６１，Ｈ，８１，９１  孔
３１ａ，４１ａ，２１ｃ  中心線
３６，４５  折れ部
７１  スプリングガイド部材
７２  スプリングセット部材
７３  スプリング
７４  摺動部材
７４ａ  返し部
８２，９２  上腕部
８２ａ，９２ａ  小さな孔
８３，９３  下腕部
８３ａ，９３ａ  ピン
１００  バッテリー運搬器具
１１０，１１１  挟持部
１１０ａ，１１１ａ  ゴムパッド
１１０ｂ，１１１ｂ  突起
１２０  バネ
１２１  コイル部
１３０  グリップ
Ｂ  バッテリー
Ｂ１  ＋端子
Ｂ２  −端子
Ｈ１，Ｈ２  摩擦部
【図１】
2008260395.tif 000003
【図２】
2008260395.tif 000004
【図３】
2008260395.tif 000005
【図４】
2008260395.tif 000006
【図５】
2008260395.tif 000007
【図６】
2008260395.tif 000008